(57)【要約】【課題】  拭きローラ面の常に新しい払拭面により拭き掃除が行えるよう拭きローラの回転を制御する。【解決手段】  回転不能な軸部材５と、該軸部材５に対して、その径方向に移動自在でかつ周方向に移動不能としたニードル１３と、ニードル１３を軸部材５の径方向に付勢する付勢手段１２と、軸部材５に対して回転可能に配設され、ニードル１３の端部を受容することにより回転部材７の回転を制御するガイド溝１５を有する回転部材７と、回転部材７に固定され、外周に払拭材が装着されるローラ体とを備え、ガイド溝１５は、第１方向へのローラ体１０４の回転を第１の角度の位置まで許容する第１方向回転許容溝１５ａと、第２方向へのローラ体１０４の回転を僅かな第２の角度の位置までだけ許容し、それ以上の回動はこれを阻止する第２方向回転許容溝１６ａとが交互に連通して成る。【選択図】      図１
2006296844.tif 000002
【特許請求の範囲】
【請求項１】
固定要素に支持されて回転不能な軸部材と、
前記軸部材と平行に伸延し、該軸部材に対して、径方向に移動自在かつ周方向に移動不能に配置されたニードルと、
前記軸部材に対して相対回転可能に配設され、相対向する面に前記ニードルの端部を収容するガイド溝を備えた一対の回転部材と、
前記ニードルを前記軸部材の径方向に付勢する付勢手段とを備え、
前記回転部材のガイド溝は、該回転部材が回転基準位置から第１方向へ第１角度の位置まで前記軸部材に対して相対回転することを許容し、該第１角度の位置に到ると、前記ニードルと係止して回転部材の第１方向への更なる相対回転を阻止する第１溝と、該回転部材が前記第１角度の位置から第２方向へ第２角度の位置まで相対回転することを許容し、該第２角度の位置に到ると、前記ニードルと係止して回転部材の第２方向への更なる相対回転を阻止する第２溝とが、交互に連続して形成されており、前記第２角度は前記第１角度よりも小さいことを特徴とする回転制御装置。
【請求項２】
前記第２角度が実質的に０°に近い僅かな角度である、請求項１に記載の回転制御装置。
【請求項３】
前記回転制御装置を複数直列に連結して構成された回転制御装置であり、それぞれの軸部材が一体的に結合されるとともに、それぞれの回転部材が、一方向への回転基準位置を他の回転部材の回転基準位置に対して所定角度ずらした状態で配設されている、請求項１又は請求項２に記載の回転制御装置。
【請求項４】
前記固定要素は、前記軸部材を相対回転不能に支持するケーシングからなり、該ケーシングに対して相対回転可能かつ前記回転部材に対して相対回転不能に設けられ、外周に拭き要素を装着可能としたローラ体とを有する、請求項１、請求項２又は請求項３に記載の前記回転制御装置を備えた拭き掃除具。
【請求項５】
前記固定要素は、前記軸部材を相対回転不能に支持するケーシングからなり、該ケーシングは内部に塵埃吸引路とローラ収納室とを有し、該ローラ収納室に配置され、前記ケーシングに対して相対回転可能かつ前記回転部材に対して相対回転不能に設けられ、外周に拭き要素を装着可能としたローラ体とを有する、請求項１、請求項２又は請求項３に記載の前記回転制御装置を備えた、吸引式掃除機の拭き掃除具兼用吸引口部材。
【発明の詳細な説明】
【技術分野】
【０００１】
本発明は、例えば、塵埃吸引式掃除機の塵埃吸引口具内に拭きローラを設け、吸引部から塵埃等を吸引した後に床面を拭き取るように構成された拭き掃除具兼用塵埃吸引口具の拭きローラに組み付けられたり、吸引口を有しない拭き掃除具の拭きローラ等に組み付けられるのに適した回転制御装置に関する。
【背景技術】
【０００２】
従来、特許文献１に開示されているような電気掃除機用吸込口具がある。この吸込み口具には、下面が開放されたケーシング内の前部に吸込口、後部にローラ収納室が設けられている。該ローラ収納室においては、左右の側壁に配した一対のローラ支持軸により、拭きローラのローラ体が回転自在に支持されている。ローラ体に面したローラ収納室の天井壁には、回転ストッパー片がローラ体の外周に斜めに接するように設けられている。回転ストッパーのローラ体の外周への傾斜は、吸込口具の前進時は、ローラ体の外周に与える接触抵抗が大となって回転を止める一方、吸込口具の後退時には、前進時と逆の関係となって、ローラ体が回転し、吸込口具の移動を許容するように設定されている。
【０００３】
この電気掃除機用吸込口具の使用に際し、吸込口具の前進時にはローラ体の回転は止められているため、該ローラ体に巻装された拭きローラが床面上を滑動し、拭き掃除が行われる。そして、吸込口具の後退によってローラ体が回転し、汚れた拭きローラの面が回転移動し、新しい面が床面と対面することになるため、吸込口具を再度前進させれば新しい面での拭き掃除が行われることになる。
【特許文献１】特開２００４−１９５０５８号公報
【発明の開示】
【発明が解決しようとする課題】
【０００４】
しかしながら、従来における電気掃除機用吸込口具では、拭きローラの面を床面に接触した状態で吸込口具を後退させると、その後退の間中、ローラ体は回転することになる。すなわち、ローラ体がどの位置でその回転を止めるかは、吸込口具の後退動作がどこまで続くかにかかってくることになり、これを制御することは困難である。したがって、拭きローラは先の前進時に拭き掃除をして汚れた箇所が再び床面と対面した状態でその回転を止めてしまう虞れがある。この場合には、拭きローラの汚れた面で床面を擦ることになり清掃効果が低下してしまうことになる。
【０００５】
また、吸込口具の後退時には、拭きローラの面はその後退時の間中、床面に接触した状態で回転移動するため、その間に拭きローラの面全体が汚れてしまい、再度これを前進させて拭き掃除状態とする時点においては既に汚れた面で清掃作業をすることになるため清掃効果が低下してしまうことになる。
【０００６】
そこで、本発明は叙上のような従来存した諸事情に鑑み創出されたもので、常に拭きローラ面の新しい面で拭き掃除が行えるよう拭きローラの回転を制御可能とした回転制御装置、およびこれを備えた拭き掃除具、或いは吸引式掃除機の拭き掃除具兼用吸引口具を提供することを目的とする。
【課題を解決するための手段】
【０００７】
以上の課題を解決するために、本発明にあっては、固定要素に支持されて回転不能な軸部材と、前記軸部材と平行に伸延し、該軸部材に対して、径方向に移動自在かつ周方向に移動不能に配置されたニードルと、前記軸部材に対して相対回転可能に配設され、相対向する面に前記ニードルの端部を収容するガイド溝を備えた一対の回転部材と、前記ニードルを前記軸部材の径方向に付勢する付勢手段とを備え、前記回転部材のガイド溝は、該回転部材が回転基準位置から第１方向へ第１角度の位置まで前記軸部材に対して相対回転することを許容し、該第１角度の位置に到ると、前記ニードルと係止して回転部材の第１方向への更なる相対回転を阻止する第１溝と、該回転部材が前記第１角度の位置から第２方向へ第２角度の位置まで相対回転することを許容し、該第２角度の位置に到ると、前記ニードルと係止して回転部材の第２方向への更なる相対回転を阻止する第２溝とが、交互に連続して形成されており、前記第２角度は前記第１角度よりも小さいことを特徴とする回転制御装置を提供するものである。
【０００８】
前記第２角度は実質的に０°に近い僅かな角度であってもよい。
【０００９】
前記回転制御装置を複数直列に連結して構成された回転制御装置であり、それぞれの軸部材が一体的に結合されるとともに、それぞれの回転部材が、一方向への回転基準位置を他の回転部材の回転基準位置に対して所定角度ずらした状態で配設したものとすることもできる。
【００１０】
また、本発明は、前記回転制御装置を備えた拭き掃除具をも提供するものであり、この拭き掃除具にあっては、前記固定要素は、前記軸部材を相対回転不能に支持するケーシングからなり、該ケーシングに対して相対回転可能かつ前記回転部材に対して相対回転不能に設けられ、外周に拭き要素を装着可能としたローラ体とを有することを特徴とする。
【００１１】
更に、本発明は、前記回転制御装置を備えた吸引式掃除機の拭き掃除具兼用吸引口具をも提供するものであり、この拭き掃除具兼用吸引口具にあっては、前記固定要素は、前記軸部材を相対回転不能に支持するケーシングからなり、該ケーシングは内部に塵埃吸引路とローラ収納室とを有し、該ローラ収納室に配置され、前記ケーシングに対して相対回転可能かつ前記回転部材に対して相対回転不能に設けられ、外周に拭き要素を装着可能としたローラ体とを有することを特徴とする。
【００１２】
以上のように構成された本発明に係る回転制御装置、これを備えた拭き掃除具、又は吸引式掃除機の拭き掃除具兼用吸引口具にあっては、例えば、拭き掃除具又は拭き掃除具兼用吸引口具を後進方向ないし一方向へ移動させた時、回転部材ないしローラ体の回転を第１角度の範囲でのみ許容してそれ以上の回転は阻止され、また、拭き掃除具又は拭き掃除具兼用吸引口具を前進方向ないし他方向に移動させた時には、回転部材ないしローラ体の第１角度よりも小さい第２角度の範囲でしか許容されず、それ以上の回転は阻止される。
【発明の効果】
【００１３】
本発明によれば、本発明に係る回転制御装置を備えた拭き掃除具又は吸引式掃除機の拭き掃除具兼用吸引口具にあって、拭き掃除が常に新しいローラ面により行えるよう拭きローラの回転を制御することができる。すなわち、後退時において、拭きローラは一定角度だけ回転して、その後は回転を停止した状態で掃除対象面上を滑動するため、後退時の間に拭きローラが一回転して既に使用して汚れた面が再び現れたり、ローラ面全体が汚れてしまったりすることがなく、常に新しいローラ面を掃除対象面に対面させることができる。また、前進時においても、後退時よりも小さな角度だけ僅かに回転するようにしたので、後退時に使用されたローラ面に隣接する新しいローラ面を使用して拭き掃除を行うことができる。
【発明を実施するための最良の形態】
【００１４】
以下、本発明を実施する最良の形態を図面を参照して説明する。
まず、本発明に係る回転制御装置を説明する前に、この装置が組み付けられる対象物の典型的な例である吸引式掃除機の拭き掃除具兼用吸引口具について図９を参照して説明する。
図９（ａ）に示されるように、拭き掃除具兼用吸引口具１０１は、ケーシング１０１ａの前部と後部に左右一対の補助輪１０１Ａ、１０１Ｂを有する。両補助輪の略中間位置のケーシング１０１ａ内には、図９（ｂ）に示されるように、塵埃吸引路１０９と区分されたローラ収納室１０２が形成されている。このローラ収納室１０２内には、ローラ体１０４が配置されている。このローラ体１０４の外周には、例えばポリウレタン樹脂のスポンジ状成形物で親水性の連続気孔構造を有する多孔質弾性体、あるいは吸湿保水性を有するゴム等の拭き要素ないし払拭材１０３が装着されており、該払拭材１０３は床面に接している。
【００１５】
ローラ体１０４の軸方向の一端部（図９（ｂ）中右端）には、ローラ体１０４の自由な回転を規制する回転制御装置Ｐが埋設されている。回転制御装置Ｐと対向した位置にある、ローラ収納室１０２内の一方（図中右側）の側壁には、例えば横断面Ｄ字形の凹部１０２ａが形成されている。凹部１０２ａには、回転制御装置Ｐの軸部材５の断面Ｄ字形に形成された一端部５ａが挿入され、これにより軸部材５は吸引口具１０１のケーシング１０１ａに回転不能に保持されている。
【００１６】
また、図９（ｃ）に示されるように、ローラ体１０４の軸方向の他端部（図９（ｂ）中左端）には、この端部を軸支する部材１０６ｂを受容する断面円形の凹部１０４ａが形成されている。凹部１０４ａと対向した位置にある、ローラ収納室１０２の他方（図９（ｂ）中左側）の側壁には、ローラ収納室１０２内にローラ体１０４を着脱できるように、ヒンジ部１０６ａを介して開閉可能な蓋部１０６が設けられている。蓋部１０６は、略中央のダイヤル状の摘み部１０７を介して回動可能な係止レバー１０７ａを回動させて側壁の一部に係止又は解放することにより開閉自在に構成されている。蓋部１０６の内壁には、摘み部１０７と略同軸の軸部１０６ｂが突設されている。軸部１０６ｂは、蓋部１０６が閉じられると、ローラ体１０４の凹溝１０４ａ内に進入し、ローラ体１０４の他端部（図９（ｂ）中左端）を相対回転自在に支持する。
【００１７】
回転制御装置Ｐは、図９（ｂ）に示されるように、吸引口具１０１のケーシング１０１ａにより回転不能に支持された軸部材５に対して筒状の回転部材７が回転可能に装着されている。この回転部材７の外周は、ローラ体１０４の軸心に沿って穿孔された軸穴部１０４ｂの開口端（図中右端）側に形成された拡径円筒状の凹所１０４ｃに嵌合されている。
【００１８】
ここで、回転制御装置Ｐについて、図１乃至図８を参照してより詳しく説明する。
回転部材７は、図１乃至図４に示されるように、左半体７Ａと右半体７Ｂとから構成される。各半体７Ａ，７Ｂは、中央孔７Ａｄ,７Ｂｄに軸部材５が挿通され、ニードル１３の第１リテーナ−８と第２リテーナ−９を両側から挟むように軸部材５上に配置され、軸部材５に対し相対回転可能に設けられたエンドキャップ部７Ａａ，７Ｂａを有する。図４からよく分るように、該エンドキャップ部７Ａａ，７Ｂａは、第１リテーナ−８と第２リテーナ−９の外周を囲むように、９０度の角度範囲ずつ対向する位置に形成された一対の四半胴部７Ａｂ，７Ｂｂをそれぞれ一体に有している。図２（ａ）には、四半胴部７Ａｂ，７Ｂｂの合わせ目が７Ｃで示されている。
【００１９】
エンドキャップ部７Ａａ，７Ｂａの外周には、所定の間隔で不図示のピン部材の一部を収容するピン挿入溝７Ａｃ，７Ｂｃが形成されている。ローラ体１０４の端部凹所１０４ｃの内壁にもこれに対応する位置にピン挿入溝（不図示）が形成されている。回転部材７は、ピン挿入溝７Ａｃ，７Ｂｃに挿入されたピン部材（不図示）を介して、ローラ体１０４と一緒に軸部材５の廻りを回転するように構成されている。
【００２０】
ニードル１３の第１リテーナ８は、図１及び図５から分るように、軸部材５の中間部において、一箇所を除き、軸部材５と一体に径方向外方に展開するように形成され、略円板形状をなしている。除かれたた部分は、軸部材５から径方向に向けて伸延する第１のニードル移動溝８ａをなす。
【００２１】
また、ニードル１３の第２リテーナ−９は、図１、図６及び図７から分るように、中央孔１０に軸部材５を挿通することにより第１リテーナ８に隣接して配置されるとともに、凹部９ｂに第１リテーナ８に形成された係合凸部８ｂを係合させることにより、軸部材５と作動的に一体に構成されている。第２リテーナ−９は、第１リテーナ８よりも肉厚な略円板形状に形成されており、第１リテーナ８の第１ニードル移動溝８ａと対応する位置に第２ニードル移動溝９ａを有するとともに、これら第１及び第２ニードル移動溝８ａ，９ａの間にニードル１３の支持部材を収容する凹部１１を有する。
【００２２】
ニードル１３の支持部材は、図６に明瞭に示されるように、ニードル１３をその中間部で軸部材５と平行に保持するニードルホルダ１４と、ニードル１３を径方向内外両方向にに移動自在となるようにニードルホルダ１４を両側から支える左右一対のバネ部材１２とからなる。バネ部材１２は、軸部材５の両側に位置するニードル支持部材収容凹部１１内に設けられたバネ取付け部１１ａに一端が、ニードルホルダ１４の両側に設けられたバネ取付け部１４ａに他端が取付けられており、ニードル１３を軸部材５の径方向内方に付勢している。尚、バネ部材１２は、ニードル１３を軸部材５の径方向外方に付勢するように取付けてもよい。
【００２３】
以上の説明から分るように、ニードル１３のリテーナ８，９は、吸引口具１０１のケーシング１０１ａに回転不能に保持されたを軸部材５と作動的に一体に構成されており、一方、これらのリテーナ８，９を囲んで配置された回転部材７は、ローラ体１０４と作動的に一体に軸部材５の廻りを回転するように構成されている。したがって、リテーナ８，９と回転部材７は相対的に回転可能に配設されている。
【００２４】
回転部材７の、リテーナ８，９を間に介して対向配置された左半体７Ａと右半体７Ｂの相対向面には、図３に示されるような、ニードル１３の端部を収容するガイド溝１５が左右対称となるように形成されている。
【００２５】
ガイド溝１５の具体的な構成について、左半体７Ａを例にとり、図３及び図４（ａ）―（ｂ）を参照して説明する。左半体７Ａの中央孔７Ａｄの近傍から中央孔７Ａｄの接線に沿って外周縁に向かって延び、外周縁部近傍で当該外周縁に沿って図中左廻り方向に湾曲する、比較的長い第１方向回転許容溝１５ａと、外周縁部近傍の該第１方向回転許容溝１５ａの終端部から径方向内方に延びる第１方向回転阻止部１５ｂと、該第１方向回転阻止部１５ｂから図中右廻り方向に延びる比較的短い第２方向回転許容溝１６ａと、該第２方向回転許容溝１６ａの終端部から再び軸部材５近傍まで径方向内方に延びる第２方向回転阻止部１６ｂとを有し，これらの回転許容溝と回転阻止部１５ａ，１５ｂ，１６ａ，１６ｂのセットが交互に繰り返され、全体が軸部材５を囲むエンドレスな溝となって構成されている。
【００２６】
ガイド溝１５の第１方向回転許容溝１５ａと第２方向回転許容溝１６ａの数は、図３には５個示されているが、例えば、図１２（ａ）に示されるように４個、あるいは図１２（ｂ）に示されるように８個のように、必要に応じて任意の数が形成されてよい。但し、いずれの場合であっても、第１方向回転許容溝１５ａは長く、第２方向回転許容溝１６ａは短く形成される。
【００２７】
また、第１方向回転阻止部１５ｂと第２方向回転回転阻止部１６ｂにおいては、ニードル１３は、バネ部材１２の付勢力により、各回転阻止部１５ｂ，１６ｂの径方向内方の端部に瞬時に移動し、該端部に係止して止まり、回転部材７の回転を阻止し、同時にローラ体１０４の回転を阻止する。
【００２８】
ガイド溝１５のかかる構成により、ローラ体１０４は、ニードル１３が第１方向回転許容溝１５ａ又は第２方向回転許容溝１６ａの終端部の回転阻止部１５ｂ，１６ｂと係止して、回転部材７の回転が阻止されるまでの間、第１方向回転許容溝１５ａと第２方向回転許容溝１６ａにより相反対方向に所定角度の範囲で回転を行うことができる。この場合、第２方向への回転角度は第１方向への回転角度の２分の１以下にすることが好ましい。
【００２９】
回転制御装置Ｐが以上のように構成されていることにより、例えば，吸引口具１０１を前進方向もしくは後進方向のいずれか一方の第１方向に移動させた時には、回転部材７と共にローラ体１０４の回転を第１の所定の角度許容してそれ以上の回転は阻止され、吸引口具１０１を他方の第２方向に移動させると、ローラ体４は回転部材７と共に僅かな第２の所定の角度回転するだけで実質的な回転は阻止される。
【００３０】
このとき、図１２（ｂ）に示すように第１方向回転許容溝１５ａと第２方向回転許容溝１６ａの個数を、例えば８個のように多く形成した場合には、吸引口具１０１の前後移動毎にローラ体１０４の床面に対する接触面が全周の８分の１づつ順次移動されてゆくため、新しい面で拭き掃除できる回数がより多くなる。
【００３１】
また、図１２（ｃ）に示すように、ニードル１３をバネ部材１２の弾発力によって軸部材５の径方向外方に付勢する場合には、第１方向回転許容溝１５ａが軸部材５の近傍から延びる方向を図中右廻り方向とし、また、第２方向回転許容溝１６ａが第１方向回転阻止部１５ｂから延びる方向を図中左廻り方向として、ガイド溝１５の延びる方向をニードル１３が軸部材５の径方向内方に付勢される例とは逆向きにすれば良い。
【００３２】
さらに、図１２（ａ）及び図１２（ｄ）に示すように、第１方向回転許容溝１５ａの外周縁部近傍における湾曲部の手前に盛り上り部１７を形成し、ローラ体１０４に一定以上のトルクが働いた時にのみ、ニードル１３が盛り上り部１７を乗り越えて回転するようにしても良い。この場合、盛り上り部１７は、ニードル１３との接触圧の上昇により一定以下のトルクでは回転部材７の回転が妨げられるトルク規制手段として機能する。
【００３３】
次に、図３に示されたガイド溝１５を有する回転部材７を用いた回転制御装置Ｐの使用、動作の一例を図８を参照して説明する。
図８（ａ）は、軸部材５を通る垂直線上に常に位置するニードル１３が第１方向回転阻止部１５ｂに係止した状態にある回転部材７の基準位置を示している。
吸引口具１０１で拭き掃除を行おうとして、吸引口具１０１を前進方向（図中左方向）に移動させると、回転部材７が、図８（ａ）の基準位置からローラ体１０４の回転に伴って図８中反時計方向に回転するが、第２方向回転許容溝１６ａは距離が短いため、すぐにニードル１３と係止し、ローラ体１０４の反時計方向への回転を角度約１８度の位置までしか許容しない。ニードル１３は、この位置で第２方向回転阻止部１６ｂに突き当り、ローラ体１０４の反時計方向への回転を阻止する。このとき、ニードル１３は、図８（ｂ）に示すように、バネ部材１２の付勢力によって、第２方向回転阻止部１６ｂに沿って軸部材５に向かう方向に引き寄せられ、第２方向回転阻止部１６ｂの最も軸部材５寄りの位置に係止する。このとき、ローラ体１０４の払拭材１０３は、図８（ｂ）中、回転部材７の外周面上のＣとＤの中間でＣ寄りの位置で床面と接し、この状態で拭き掃除ができることになる。
【００３４】
また、この状態から吸引口具１０１を後退方向（図中右方向）へ移動させて払拭材１０３の払拭面を変えようとすると、ローラ体１０４の回転に伴って回転部材７が図８中時計方向に回転し、回転部材７は第１方向回転許容溝１５ａの比較的長い距離に亘りニードル１３と係止せず、ローラ体１０４は時計方向に角度約９０度の位置まで回転を許容される。その後、ニードル１３が、第１方向回転阻止部１５ｂに突き当たったところでローラ体１０４は回転不能となる。このとき、図８（ｃ）に示すように、ニードル１３は、バネ部材１２の付勢力によって、第１方向回転阻止部１５ｂに沿って軸部材５に向かう方向に引き寄せられ、第１方向回転阻止部１５ｂの最も軸部材５寄りの位置に係止する。これにより、ローラ体１０４の払拭材１０３は、図８（ｃ）中、回転部材７の外周面上のＤとＥの中間で略中央の位置で床面と接した状態になる。
【００３５】
この状態から吸引口具１０１を前進方向へ移動させて再び拭き掃除を行おうとすると、前記の説明と同様に，第２方向回転許容溝１６ａは距離が短いため、すぐにニードル１３と係止し、ローラ体１０４の反時計方向への回転を角度約１８度の位置までしか許容せず、図８（ｂ）の状態となる。しかし、こんどは、図８（ｃ）の状態からローラ体１０４が反時計方向に約１８度回転したので、ローラ体１０４の払拭材１０３は、回転部材７の外周面上のＤとＥの中間位置であることは図８（ｃ）と同じであるが、図８（ｃ）で床面と接している部分とは異なるＤ寄りの位置で床面と接し、この状態で拭き掃除が可能になる。以後は、上記した動作が順次繰り返される。
【００３６】
図１０、図１１には、本発明に係る第２の実施の形態が示されている。ここでは、２個の回転制御装置Ｐ、Ｐ‘をそれぞれの軸部材５，５’同士をピン継手によって連結させることで直列に配置し、ローラ体１０４の一端側に寄せて組みつけてある（図１１参照）。ここにおいて、図１０に示すように、第２の回転制御装置Ｐ‘の回転部材７’の回転基準位置は、第１の回転制御装置Ｐの回転部材７の回転基準位置（Ａ位置が図中最上部にくる位置）に対し、例えば３６度の位相差が付与されるように配置される。こうすることにより、ローラ体１０４‘の回転角度の分解能が半分の角度約３６度となる。尚、これら２個の回転制御装置Ｐ，Ｐ‘は、ローラ体１０４’の両端側に分離して組み付けても良い。また、ここでは、回転制御装置を２個設けた場合について説明したが、回転制御装置を２個以上設けることも可能である。
【００３７】
次に、第２の実施の形態における使用、動作の一例を図１０を参照して説明する。
先ず、図１０（ａ）において、第１の回転制御装置Ｐは、半体７Ａにより表される回転部材７が回転基準位置におかれており、ニードル１３は第１方向回転阻止部１５ｂに係止した状態にある。また、第２の回転制御装置Ｐ‘は、回転部材７’が、回転部材７に対して約３６度位相をずらした回転基準位置におかれており、ニードル１３‘は第１方向回転許容溝１５ａ’内での移動過程にある。こうした状態から、吸引口具１０１‘を前進方向（図中左方向）へ移動させて拭き掃除を行おうとする。
【００３８】
すると、ローラ体１０４‘の回転に伴って回転部材７及び７’が図１０中反時計方向に回転するが、回転制御装置Ｐの第２方向回転許容溝１６ａは距離が短いため、すぐにニードル１３と係止し、ローラ体１０４‘の反時計方向への回転を角度約１８度の位置までしか許容しない。図１０（ｂ）に示すように、回転制御装置Ｐのニードル１３は、この位置で第２向回転阻止部１６ｂと係止し、ローラ体１０４’の反時計方向への回転を阻止する。そして、ニードル１３は、図１０（ｂ）に示すように、バネ部材１２の付勢力によって、第２向回転阻止部１６ｂに沿って軸部材５に向かう方向に引き寄せられ、第２向回転阻止部１６ｂの最も軸部材５寄りの位置に係止する。このとき、第２の回転制御装置Ｐ‘のニードル１３’は、まだ第１方向回転許容溝１５ａ‘内での移動過程にある。従って、ローラ体１０４‘の払拭材１０３’は、第１の回転制御装置Ｐにおけるニードル１３と第２方向回転阻止部１６ｂとが係止して回転を阻止されることにより、図１０（ｂ）中、回転部材７の外周面上のＣとＤとの中間でＣ寄りの位置（回転部材７’の外周面上のＣ‘とＤ’の中間でＤ‘寄りの位置）で床面と接し、この状態で拭き掃除が可能になる。
【００３９】
また、この状態から吸引口具１０１‘を後退方向（図中右方向）へ移動させて払拭材１０３’の払拭面を変えようして、ローラ体１０４’を時計方向（図中右方向）に角度約５４度回転させると、図１０（ｃ）に示すように、第１の回転制御装置Ｐではニードル１３が第１方向回転許容溝１５ａ内を移動中の状態にあり、第２の回転制御装置Ｐ‘ではニードル１３’が第１方向回転阻止部１５ｂ’に係止した状態にある。そして、ニードル１３’は、バネ部材の付勢力によって、第１方向回転阻止部１５ｂ‘に沿って軸部材５’に向かう方向に引き寄せられ、第１方向回転阻止部１５ｂ‘の最も軸部材５’寄りの位置に係止する。
【００４０】
この状態から吸引口具１０１‘を再び前進方向（図中左方向）へ移動させて拭き掃除を行おうとしようとすると、ローラ体１０４‘は反時計方向（図中左方向）に角度約１８度だけ回転して停止する。このとき、図１０（ｄ）に示すように、第１の回転制御装置Ｐではニードル１３が第１方向回転許容溝１５ａ内を移動中の状態にあるが、第２の回転制御装置Ｐ’ではニードル１３‘が第２方向回転阻止部１６ｂ’と係止した状態にある。そして、ニードル１３‘は、バネ部材の付勢力によって、第２方向回転阻止部１６ｂ’に沿って軸部材５‘に向かう方向に引き寄せられ、第２方向回転阻止部１６ｂ’の最も軸部材５‘寄りの位置に係止する。従って，ローラ体１０４‘は、図１０（ｄ）中、回転部材７’の外周面上のＤ‘とＥ’の中間でＤ‘寄りの位置（回転部材７の外周面上のＣとＤの中間でＤ寄りの位置）で床面と接し、この状態で拭き掃除が可能になる
【００４１】
さらに、この状態からローラ体１０４‘が時計方向に角度５４度回転すると、図１０（ｅ）に示すように、第１の回転制御装置Ｐではニードル１３が第１方向回転阻止部１５ｂに係止し、第２の回転制御装置Ｐ’はニードル１３‘が第１方向回転許容溝１５ａ’に係合して、以上の動作が繰り返される。こうすることにより、ローラ体１０４’の回転角度の分解能を半分の角度３６度とすることができる。
【図面の簡単な説明】
【００４２】
【図１】本発明を実施するための最良の形態に係る回転制御装置の縦断面図である。
【図２】（ａ）は図１の装置の平面図、（ｂ）は同左側面図である。
【図３】図１のＡ−Ａ断面図である。
【図４】（ａ）は図１の回転制御装置から回転部材の左半体を取り出した図、（ｂ）は同右側面図、（ｃ）は図１の回転制御装置から回転部材の右半体を取り出した図、（ｄ）は同左側面図である。
【図５】図１のＢ−Ｂ断面図である。
【図６】図１のＣ−Ｃ断面図である。
【図７】（ａ）は図１の回転制御装置から第２リテーナのみを取り出した図、（ｂ）は同左側面図である。
【図８】複数の図３と同様の断面図による、ガイド溝内におけるニードルの一連の動きを示した説明図である。
【図９】図１の回転制御装置をローラ体に組み付けた吸引式掃除機の拭き掃除具兼用吸引口部材の一例を示すもので、（ａ）は側面図、（ｂ）は同側面図のＡ−Ａ断面図、（ｃ）は同側面図のＢ−Ｂ部分断面図である。
【図１０】２個の回転制御装置を組合わせて用いる実施の形態に関し、ガイド溝内におけるニードルの一連の動きを示した図８と同様の説明図である。
【図１１】回転制御装置をローラ体に組み付けた吸引式掃除機の拭き掃除具兼用吸引口部材の他の例を示す、図９（ｂ）と同様の断面図である。
【図１２】本発明に係る回転制御装置の種々の変更例を示すもので、（ａ）は第１方向への回転許容溝を４つ含むガイド溝を備えた回転部材の縦断面図、（ｂ）は同回転許容溝を８つ含むガイド溝を備えた回転部材の縦断面図、（ｃ）はニードルを軸部材の径方向外方に常時付勢した場合における、ガイド溝の渦巻き方向を示す回転部材の縦断面図、（ｄ）はガイド溝が、第１方向への回転許容溝の中間に、一定以上のトルクが与えられたときに回転を許容する部分を備えた回転部材の縦断面図である。
【符号の説明】
【００４３】
Ｐ…回転制御装置
５…軸部材
５ａ…軸端部
７…回転部材
７Ａ…左半体
７Ｂ…右半体
７Ｃ…継ぎ目部
８…第１リテーナ
８ａ…第１ニードル移動溝
８ｂ…係合凸部
９…第２リテーナ
９ａ…第２ニードル移動溝
９ｂ…係合凹部
１０…軸部材挿通孔
１１…ニードル支持部材収容凹部
１１ａ……バネ取付部
１２…バネ部材
１３…ニードル
１４…ニードルホルダー
１４ａ……バネ取付部
１５…回転ガイド溝
１５ａ…第１方向回転許容溝
１５ｂ…第１方向回転阻止部
１６ａ…第２方向回転許容溝
１６ｂ…第２方向回転阻止部
１７…第１方向回転トルク規制部
１０１…吸引式掃除機の吸引口具
１０１Ａ…前補助輪
１０１Ｂ…後補助輪
１０２…ローラ収納室
１０２ａ…軸部材保持凹部
１０３…拭き部材
１０４…ローラ体
１０４ａ…凹部
１０４ｂ…軸穴部
１０４ｃ…凹所
１０６…蓋部
１０６ａ…ヒンジ部
１０６ｂ…ローラ体支軸部
１０７…摘み部
１０７ａ…係止レバー
【図１】
2006296844.tif 000003
【図２】
2006296844.tif 000004
【図３】
2006296844.tif 000005
【図４】
2006296844.tif 000006
【図５】
2006296844.tif 000007
【図６】
2006296844.tif 000008
【図７】
2006296844.tif 000009
【図８】
2006296844.tif 000010
【図９】
2006296844.tif 000011
【図１０】
2006296844.tif 000012
【図１１】
2006296844.tif 000013
【図１２】
2006296844.tif 000014